(57)【要約】【課題】本発明は、クローゼットや押し入れ等の収納スペースにおける載置面積が変更可能な収納容器を提供することを目的とする。【解決手段】本発明に係る収納容器１は、第１及び第２収納部２、３と、第１及び第２収納部２、３が水平方向に並ぶ展開状態に保持可能な保持具１９と、を有する。第１及び第２収納部２、３は、それぞれ、上端縁１１において折り曲げ可能に互いに連設された第１及び第２仕切壁部６、９と、この各仕切壁部６、９の下端６ｃ、９ｃに設けられる第１及び第２載置壁５、８と、第１及び第２載置壁５、８の周縁部から上方に突出するとともに、第１及び第２仕切壁部６、９に連結され、仕切壁部６、９とともに第１及び第２収納部２、３の周壁部をなす第１及び第２側壁７、１０と、を有する。収納容器１は、保持具１９が解除されることにより、第１及び第２収納部２、３が上下に積層された折畳状態へ変形可能である。【選択図】図６
2018127269.tif 000002
【特許請求の範囲】
【請求項１】
上方に開口して物品を収納し、互いに水平方向に隣接配置された第１及び第２収納部と、前記第１及び第２収納部が水平方向に並ぶ展開状態に保持可能な保持具と、を有し、
前記第１及び第２収納部は、それぞれ、上端縁において折り曲げ可能に互いに連設された第１及び第２仕切壁部と、この各仕切壁部の下端に設けられ、前記物品が載置される第１及び第２載置壁と、前記第１及び第２載置壁の周縁部から上方に突出するとともに、前記第１及び第２仕切壁部に連結され、これらの仕切壁部とともに前記第１及び第２収納部の周壁部をなす第１及び第２側壁と、を有し、
前記保持具が解除されることにより、前記第１及び前記第２収納部が上下に積層された折畳状態へ変形可能であることを特徴とする収納容器。
【請求項２】
前記保持具は、前記展開状態における第１及び第２収納部が互いに隣接する部位に連続して延びるスライドファスナであることを特徴とする請求項１に記載の収納容器。
【請求項３】
前記第１仕切壁部又は第２仕切壁部と前記第１側壁又は第２側壁とを互いに着脱可能に連結する仕切壁連結具を更に有し、
前記第１及び第２仕切壁部は、前記仕切壁連結具による連結が解除されることにより、前記第１及び第２載置壁から立ち上がる起立姿勢と前記第１及び第２載置壁に沿う倒伏姿勢とに起伏可能であることを特徴とする請求項１又は２に記載の収納容器。
【請求項４】
前記仕切壁連結具は、面ファスナであることを特徴とする請求項３に記載の収納容器。
【請求項５】
前記展開状態において前記第１及び第２収納部の各上方開口部を閉じる天面部材を更に有することを特徴とする請求項１乃至４の何れか１項に記載の収納容器。
【請求項６】
前記第１及び第２側壁には、前記折畳状態において一括把持可能な一対の把持部が設けられ、
前記一対の把持部のうち少なくとも一方に、前記折畳状態において前記一対の把持部を互いに着脱可能に連結する把持連結具が設けられていることを特徴とする請求項１乃至５の何れか１項に記載の収納容器。
【発明の詳細な説明】
【技術分野】
【０００１】
本発明は、毛布、掛ふとん等の寝具類やセーター、トレーナ等の衣料品などを収納する収納容器に関する。
【背景技術】
【０００２】
毛布、掛ふとん等の寝具類やセーター、トレーナ等の衣料品等を収納する収納容器としては、例えば、特許文献１に記載された収納容器が知られている。
【０００３】
特許文献１に記載の収納容器は、羽毛布団を収納する羽毛布団収納袋であり、羽毛布団を底面側から覆う底面部材と、羽毛布団を天面側から覆う天面部材と、前記底面部材と前記天面部材との間に前記底面部材と前記天面部材とを繋ぐ側面部材と、を備える。前記収納容器は、前記底面部材と前記天面部材と前記側面部材とにより羽毛布団を収納する収納部を形成している。
【先行技術文献】
【特許文献】
【０００４】
【特許文献１】特開２０１５−５１７７２号公報
【発明の概要】
【発明が解決しようとする課題】
【０００５】
しかしながら、このような収納容器は、クローゼットや押し入れ等の収納スペースに収納する場合、底面部材の面積に応じた載置面積を確保しなければならなかった。ところが、収納スペース内には他の収納物が存し、例えば、布団収納容器など比較的広範な底面積を有するものの場合、他の収納物を再度収納し直すなど、その載置面積を確保するのに苦労する場合があった。
【０００６】
本発明の目的は、クローゼットや押し入れ等の収納スペースにおける載置面積が変更可能な収納容器を提供することである。
【課題を解決するための手段】
【０００７】
本発明に係る収納容器は、上方に開口して物品を収納し、互いに水平方向に隣接配置された第１及び第２収納部と、前記第１及び第２収納部が水平方向に並ぶ展開状態に保持可能な保持具と、を有する。前記第１及び第２収納部は、それぞれ、上端縁において折り曲げ可能に互いに連設された第１及び第２仕切壁部と、この各仕切壁部の下端に設けられ、前記物品が載置される第１及び第２載置壁と、前記第１及び第２載置壁の周縁部から上方に突出するとともに、前記第１及び第２仕切壁部に連結され、これらの仕切壁部とともに前記第１及び第２収納部の周壁部をなす第１及び第２側壁と、を有する。前記保持具が解除されることにより、前記第１及び前記第２収納部が上下に積層された折畳状態へ変形可能である。
【０００８】
この構成によれば、前記収納容器は、前記第１及び第２収納部が水平方向に並ぶ展開状態に保持可能な保持具を有するので、作業者は、前記保持具により前記収納容器を前記展開状態に保持することにより、物品を前記第１及び第２収納部に容易に収納することができる。さらに、クローゼットや押し入れ等の収納スペースに余裕がある場合は、前記収納容器を前記展開状態のまま収納スペースに置くことができ利便性が高い。また、上記構成によれば、前記収納容器は、前記保持具が解除されることにより、前記第１及び前記第２収納部が上下に積層された折畳状態へ変形可能である。そのため、作業者は、前記保持具を解除するだけで、前記収納容器を前記展開状態から前記折畳状態に変形させることにより、クローゼットや押し入れ等の収納スペースにおける載置面積を小さくすることができる。そのため、クローゼットや押し入れ等の収納スペースに余裕がなくても、他の収納物を動かしたり、再度収納し直したりすると言った収納スペースを確保する手間が軽減される。
【０００９】
上記構成において、前記保持具は、前記展開状態における第１及び第２収納部が互いに隣接する部位に連続して延びるスライドファスナであってもよい。
【００１０】
この構成によれば、作業者が前記スライドファスナを閉じると、前記第１及び第２側壁が互いに連結されるとともに、前記第１及び第２載置壁が互いに連結されるので、前記収納容器は、前記展開状態に保持される。特に、後述するように、第１及び第２仕切壁部が起伏可能に構成されている場合には、第１及び第２仕切壁部を倒伏させた状態においても、第１及び第２側壁、並びに、第１及び第２載置壁が隙間なく連結されているので、比較的小さな収納物が上記隙間を通じて落下するおそれがなくなり、収納にあたっての利便性が向上する。
【００１１】
上記構成において、前記第１仕切壁部又は第２仕切壁部と前記第１側壁又は第２側壁とを互いに着脱可能に連結する仕切壁連結具を更に有してもよい。前記第１及び第２仕切壁部は、前記仕切壁連結具による連結が解除されることにより、前記第１及び第２載置壁から立ち上がる起立姿勢と前記第１及び第２載置壁に沿う倒伏姿勢とに起伏可能であってもよい。
【００１２】
この構成によれば、前記第１及び第２仕切壁部は、前記仕切壁連結具による連結が解除されることにより、前記第１及び第２載置壁から立ち上がる起立姿勢と前記第１及び第２載置壁に沿う倒伏姿勢とに起伏可能である。そのため、作業者は、前記仕切壁連結具による連結を解除し、前記第１及び第２仕切壁部を前記起立姿勢から前記倒伏姿勢へ倒すと、前記第１収納部と前記第２収納部とを組み合わせた空間の大きな収納部が形成される。したがって、作業者は、前記第１及び第２仕切壁部を前記倒伏姿勢にした場合、第１及び第２収納部の容積をフル活用して、掛けふとんや敷きふとん等の大きな物品を前記収納容器に収納することができる。一方、作業者は、前記仕切壁連結具により前記第１及び第２仕切壁部と前記第１及び第２側壁とを互いに連結し、前記第１及び第２仕切壁部を前記起立姿勢にした場合、セーター等の比較的小さな物品を前記第１及び第２収納部に収納することができる。このように、作業者は、収納物の大きさに応じて前記仕切壁部を適宜変更することにより、大小様々な物品を収納容器に収納することができるので、上記収納容器は利便性が高い。
【００１３】
上記構成において、前記仕切壁連結具は面ファスナであってもよい。
【００１４】
この構成によれば、作業者は、前記面ファスナにより前記第１及び第２仕切壁部を前記起立姿勢に容易に固定することができる。一方、作業者は、前記第１及び第２仕切壁部を前記起立姿勢から前記倒伏姿勢に倒すときは、面ファスナを剥がすことで容易に対応することができる。
【００１５】
上記構成において、前記収納容器は、前記展開状態において前記第１及び第２収納部の各上方開口部を閉じる天面部材を有してもよい。
【００１６】
この構成によれば、作業者が前記収納容器を前記展開状態から前記折畳状態に変形するときに、前記第１及び第２収納部から物品が落ちてしまうことが前記天面部材によって防がれる。そのため、作業者は、物品を安定した状態で前記展開状態から前記折畳状態に前記収納容器を変形させることができる。
【００１７】
上記構成において、前記収納容器は、前記第１及び第２側壁に前記折畳状態において一括把持可能な一対の把持部を有してもよい。前記一対の把持部のうち少なくとも一方に、前記折畳状態において前記一対の把持部を互いに着脱可能に連結する把持連結具が設けられていてもよい。
【００１８】
この構成によれば、前記一対の把持部のうち少なくとも一方に、前記折畳状態において前記一対の把持部を互いに着脱可能に連結する把持連結具が設けられているので、前記収納容器は、前記一対の把持部が前記把持連結具によって連結されることにより、前記折畳状態に保持される。
【発明の効果】
【００１９】
本発明に係る収納容器は、クローゼットや押し入れ等の収納スペースにおける載置面積を変更可能である。
【図面の簡単な説明】
【００２０】
【図１】本発明の実施形態に係る収納容器の斜視図である。
【図２】本発明の実施形態に係る収納容器の第１仕切壁部の背面図である。
【図３】本発明の実施形態に係る収納容器の第１仕切壁部と第２仕切壁部を示す拡大斜視図である。
【図４】本発明の実施形態に係る収納容器の第１仕切壁部と第２仕切壁部とを倒伏姿勢に倒した状態を示す斜視図である。
【図５】本発明の実施形態に係る収納容器の把持部近傍を拡大した部分拡大斜視図である。
【図６】本発明の実施形態に係る収納容器の折畳方法を示す斜視図である。
【図７】本発明の実施形態に係る収納容器の折畳状態を示す斜視図である。
【発明を実施するための形態】
【００２１】
図１は、収納容器１の斜視図である。図２は、収納容器１の第１仕切壁部６の背面図である。図３は、収納容器１の第１仕切壁部６と第２仕切壁部９を示す斜視図である。図４は、収納容器１の第１仕切壁部６と第２仕切壁部９とを倒伏姿勢に倒した状態を示す斜視図である。図１〜４では、説明の便宜上、紙面上での方向が用いられて収納容器１が説明される。収納容器１は、毛布、掛ふとん等の寝具類やセーター、トレーナ等の衣料品などを収納する収納袋である。収納容器１は、可撓性のあるシート状の素材で形成されている。収納容器１の素材は、特に限定されないが、例えば、低密度ポリエチレン、ランダムポリプロピレン等の合成樹脂、不織布、布および紙などを採用することができる。尚、収納容器１は、ポリカーボネートや皮等の硬い板状の素材で形成されてもよい。
【００２２】
収納容器１は、上方に開口して物品を収納する直方体状の第１収納部２と、第１収納部２に対して水平方向に隣接された直方体状の第２収納部３と、第１収納部２及び第２収納部３の上方開口部を一括して閉じる矩形状の天面部材１７と、天面部材１７を第１収納部２及び第２収納部３の上方開口部に着脱可能に連結する天面開閉用スライドファスナ１８と、第１収納部２と第２収納部３とが水平方向に隣接する部位に設けられ、第１収納部２と第２収納部３とが水平方向に並ぶ展開状態に保持可能な展開用スライドファスナ１９と、第１収納部２と第２収納部３に設けられ、各収納部２、３が上下に積層された折畳状態において一括把持可能な一対の把持部２５、２６と、一対の把持部２５、２６同士を着脱可能に連結し、第１収納部２と第２収納部３との折畳状態を保持可能な折畳用面ファスナ２４と、を有する。
【００２３】
第１収納部２は、物品が載置される矩形状の第１載置壁５と、第１載置壁５の周縁部の第２収納部３に隣接する一辺（図例では右側の一辺）から上方に突出し、前後方向に細長い矩形状の第１仕切壁部６と、第１仕切壁部６とともに第１収納部２の周壁部をなす平面視略Ｕ字状の第１側壁７と、第１側壁７の第１仕切壁部６側の両側縁と第１仕切壁部６の前後方向の両端部とに設けられ、第１仕切壁部６を第１載置壁５から立ち上がる起立姿勢に保持可能な一対の第１面ファスナ２９と、第１載置壁５の底面から第１側壁７の外側面にかけて取り付けられた補強用ベルト３１と、を有し、第１仕切壁部６の上端縁１１において後述する第２仕切壁部９の上端縁１１に連設され、これにより、第２収納部３に対して水平方向に隣接可能に接続されている。
【００２４】
第１仕切壁部６は、前後両端部に保形用の芯板１２が設けられている。具体的には、第１仕切壁部６は、図２に示すように、その壁面を形成する前後に細長い矩形状の仕切本体６ａと、仕切本体６ａの前後両端部に配置され、仕切本体６ａの形状を保持する芯板１２と、仕切本体６ａとの間で芯板１２を保持する芯板保持シート４と、を有する。
【００２５】
仕切本体６ａは、図３に示すように、その下端縁６ｃにおいて第１載置壁５に縫着されている。第１仕切壁部６は、第１載置壁５と一体に形成されてもよい。
【００２６】
芯板１２は、図２に示すように、上下方向に長い矩形状に形成されている。芯板１２の上下方向の長さは、仕切本体６ａの上端縁１１近傍から下端縁６ｃ近傍に至る長さになっている。芯板１２の素材としては、仕切本体６ａの形状を保持できるものであればいずれのものでもよく、例えば、高密度ポリエチレン、ポリプロピレン（プロピレンのみが重合したホモポリマー）等の合成樹脂や紙などを挙げることができる。
【００２７】
芯板保持シート４は、芯板１２よりも僅かに大きい上下方向に長い矩形状に形成されている。芯板保持シート４は、芯板１２を仕切本体６ａにより挟み込んだ状態で、周縁部が仕切本体６ａに縫着されることにより、仕切本体６ａに取り付けられている。これにより、芯板１２が芯板保持シート４と仕切本体６ａとの間で保持され、仕切本体６ａが平面形状に保持される。
【００２８】
第１側壁７は、図４に示すように、矩形状の第１載置壁５の周縁部の第１仕切壁部６が縫着されている１辺を除く３辺全体から上方に突出するように設けられている。具体的には、第１側壁７は、第１仕切壁部６が縫着されている一辺と隣接する二辺に連結された互いに対向する一対の仕切壁隣接壁部７ａ、７ｂと、この一対の仕切壁隣接壁部７ａ、７ｂに前後各端部が連結された連結壁部７ｃと、を有する。
【００２９】
一方の仕切壁隣接壁部７ａは、横方向に長い矩形状に形成されている。一方の仕切壁隣接壁部７ａは、その下端縁において第１載置壁５に縫着されている。一方の仕切壁隣接壁部７ａは、その壁面を形成する横方向に長い矩形状の壁面本体３３と、壁面本体３３の長手方向の連結壁部７ｃ側の端部に縫着され、第１収納部２に収納されている物品を視認可能にする上下方向に長い矩形状の物品視認用窓３４と、壁面本体３３に縫着された把持部４１と、を有する。物品視認用窓３４は、柔らかい透明な樹脂により形成されている。
【００３０】
他方の仕切壁隣接壁部７ｂは、物品視認用窓３４を有していない点を除き、仕切壁隣接壁部７ａと同様の構成を備えているので、仕切壁隣接壁部７ａと同様の構成については、仕切壁隣接壁部７ａと同様の符号を付して、その説明が省略される。
【００３１】
連結壁部７ｃは、第１仕切壁部６と同様の構成を有するので、第１仕切壁部６と同様の構成については、第１仕切壁部６での説明が参酌される。連結壁部７ｃは、第１載置壁５と一体に形成されている。連結壁部７ｃの前側の側縁は、仕切壁隣接壁部７ａの物品視認用窓３４に縫着されている。連結壁部７ｃの後側の側縁は、仕切壁隣接壁部７ｂに縫着されている。連結壁部７ｃは、第１載置壁５からの突出高さにおいて一対の仕切壁隣接壁部７ａ、７ｂ及び第１仕切壁部６と等しくなっている。
【００３２】
一対の第１面ファスナ２９は、第１仕切壁部６の仕切本体６ａの前後方向の両側縁に設けられた一対の第１フラップ６ｂ（図３参照）と、一対の第１フラップ６ｂに縫着され、フック状に起毛された矩形状の一対の第１雄型面ファスナ１３（図１、３参照）と、一対の仕切壁隣接壁部７ａ、７ｂの第１仕切壁部６側の端部に設けられ、ループ状に起毛された矩形状の一対の第１雌型面ファスナ１４（図４参照）と、を有する。
【００３３】
一対の第１フラップ６ｂは上下方向に長い矩形状に形成されている。一対の第１フラップ６ｂは、本実施形態では仕切本体６ａと一体に形成され、仕切本体６ａの上端縁１１から下端縁６ｃまで延びている。一対の第１フラップ６ｂは、一対の仕切壁隣接壁部７ａ、７ｂに沿うように仕切本体６ａに対して直角に折り曲げられている。
【００３４】
一対の第１雄型面ファスナ１３は、図３に示すように、一対の第１フラップ６ｂ全体に亘って設けられている。一対の第１雄型面ファスナ１３は、その周縁部が一対の第１フラップ６ｂに縫着されることにより、一対の第１フラップ６ｂに取り付けられている。
【００３５】
一対の第１雌型面ファスナ１４は、図４に示すように、一対の仕切壁隣接壁部７ａ、７ｂの上端縁から下端縁まで延びている。一対の第１雌型面ファスナ１４は、その周縁部が一対の仕切壁隣接壁部７ａ、７ｂに縫着されることにより、第１側壁７に取り付けられている。一対の第１面ファスナ２９は、第１仕切壁部６と第１側壁７とを互いに着脱可能に連結する「仕切壁連結具」として例示される。
【００３６】
補強用ベルト３１は、連結壁部７ｃの各芯板１２の前後方向の内側の一辺に沿って一対設けられている。具体的には、２本の補強用ベルト３１は、連結壁部７ｃの上端縁から下端縁まで延び、さらに第１載置壁５の周縁部の第１仕切壁部６が縫着されている位置まで直線状に連続して平行に延びている。２本の補強用ベルト３１は、その周縁部が連結壁部７ｃと第１載置壁５に縫着されることにより、第１載置壁５の底面から第１側壁７の外側面にかけて取り付けられる。
【００３７】
第２収納部３は、第１収納部２と左右対称に構成されている点を除き、第１収納部２と同一の構成を有するので、その説明が簡略化される。第２収納部３は、第２載置壁８と、第２仕切壁部９と、第２側壁１０と、一対の第２面ファスナ３０と、補強用ベルト３２と、を有する。第２載置壁８と、第２仕切壁部９と、第２側壁１０と、一対の第２面ファスナ３０と、補強用ベルト３２とについては、それぞれ、第１収納部２の第１載置壁５と、第１仕切壁部６と、第１側壁７と、一対の第１面ファスナ２９と、補強用ベルト３２と、に対応しているため、第１収納部２での説明が参酌される。また、第１収納部２と同様の符号を付した構成についても、第１収納部２での説明が参酌される。尚、図２は、第２仕切壁部９を説明するための図としても用いられる。第２仕切壁部９の上端縁１１は、上述したように、第１仕切壁部６の上端縁に折り曲げ可能に接続されている。具体的には、第２仕切壁部９は、その上端縁１１において第１仕切壁部６の上端縁１１に縫着され、第１仕切壁部６に重ね合わされる重合姿勢と、第１仕切壁部６と面一になる面一姿勢とに折り曲げることができるようになされている。
【００３８】
天面部材１７は、柔軟な帯状の取付帯（図示省略）を介して第１収納部２と第２収納部３の上方開口部に取り付けられている。具体的には、第１側壁７の仕切壁隣接壁部７ｂの上端縁の左端近傍から第２側壁１０の仕切壁隣接壁部１０ｂの上端縁の右端近傍に亘って連続して縫着された取付帯に天面部材１７の２つの長辺のうちの一方の長辺が縫着されている。これにより、天面部材１７は、第１収納部２と第２収納部３の上方開口部に取り付けられている。
【００３９】
天面開閉用スライドファスナ１８は、天面部材１７の縫着部分の１辺を除く３辺に全体に亘って連続して縫着された天面側務歯１８ａと、連結壁部７ｃの上端縁と仕切壁隣接壁部７ａの上端縁と仕切壁隣接壁部１０ａの上端縁と連結壁部１０ｃの上端縁とに全体に亘って連続して縫着された収納部側務歯１８ｂと、天面側務歯１８ａと収納部側務歯１８ｂとを係脱させるスライダー１８ｃと、を有する。
【００４０】
展開用スライドファスナ１９は、水平方向に隣接する第１収納部２と第２収納部３との当接部位に連続して設けられている。具体的には、展開用スライドファスナ１９は、第１収納部２に設けられた第１収納部側務歯１９ａと、第２収納部３に設けられた第２収納部側務歯１９ｂと、第１収納部側務歯１９ａと第２収納部側務歯１９ｂとを係脱させるスライダー１９ｃと、を有する。
【００４１】
第１収納部側務歯１９ａは、一対の仕切壁隣接壁部７ａ、７ｂの第１仕切壁部６側の側縁と、第１仕切壁部６の下端縁６ｃと、に全体に亘って連続して縫着されている（図２、４参照）。
【００４２】
第２収納部側務歯１９ｂは、第１収納部側務歯１９ａと対応する位置に設けられている。具体的には、第２収納部側務歯１９ｂは、一対の仕切壁隣接壁部１０ａ、１０ｂの第２仕切壁部９側の側縁と、第２仕切壁部９の下端縁９ｃと、に全体に亘って連続して縫着されている。
【００４３】
スライダー１９ｃは、第１収納部側務歯１９ａと第２収納部側務歯１９ｂとを互いに接触させるように挟み込むことにより、第１収納部側務歯１９ａと第２収納部側務歯１９ｂとに取り付けられている。これにより、スライダー１９ｃは、スライドすることにより、第１収納部側務歯１９ａと第２収納部側務歯１９ｂとを噛み合わせたり離したりすることができる。展開用スライドファスナ１９は、第１収納部２と第２収納部３とが水平方向に並ぶ展開状態に収納容器１を保持可能な「保持具」として例示される。
【００４４】
一対の把持部２５、２６は、第１側壁７の連結壁部７ｃに設けられた把持部２５と、第２側壁１０の連結壁部１０ｃに設けられた把持部２６と、を有する。
【００４５】
把持部２５は、前後方向に長い矩形状に形成されている。把持部２５は、２本の補強用ベルト３１を介して連結壁部７ｃに取り付けられている。具体的には、把持部２５は、その前後方向の両端部が２本の補強用ベルト３１の上端部近傍に縫着されることにより、連結壁部７ｃに取り付けられている。これにより、作業者が把持部２５を持って収納容器１を運ぶ際に把持部２５から連結壁部７ｃに作用する力が２本の補強用ベルト３１に分散され、連結壁部７ｃが過度に変形してしまうことを防止している。
【００４６】
把持部２６は、把持部２５と同様の構成を有するので、把持部２５での説明が参酌される。
【００４７】
図５は、収納容器１の把持部２６近傍を拡大した部分拡大斜視図である。折畳用面ファスナ２４は、把持部２６に縫着された略正方形状の柔軟なシート片２１と、シート片２１の一方の面に縫着され、フック状に起毛された前後方向に長い矩形状の雄型面ファスナ２２と、シート片２１の他方の面に縫着され、ループ状に起毛された前後方向に長い矩形状の雌型面ファスナ２３と、を有する。
【００４８】
雄型面ファスナ２２は、シート片２１の連結壁部１０ｃと対向する側とは反対側の面に縫着されている。雄型面ファスナ２２は、前後方向に長い矩形状に形成されている。雄型面ファスナ２２は、その前後方向に延びる一辺がシート片２１の下縁２１ａに一致し、かつ、上下方向に延びる２辺がシート片２１の上下方向に延びる２辺に一致するようにシート片２１に配置されている。雄型面ファスナ２２の上下方向の長さは、把持部２６の上下方向の長さに等しくなっている。
【００４９】
雌型面ファスナ２３は、シート片２１の連結壁部１０ｃと対向する側の面に縫着されている。雌型面ファスナ２３は、雄型面ファスナ２２と同形状に形成されている。雌型面ファスナ２３の上下方向の長さは、把持部２６の下縁２６ａから把持部２６の上縁２６ｂに至る長さになっている。雌型面ファスナ２３の前後方向の長さは、シート片２１の上下方向に延びる２辺間の長さと等しくなっている。折畳用面ファスナ２４は、把持部２５と把持部２６とを互いに着脱可能に連結する「把持連結具」として例示される。
【００５０】
図６は、収納容器１の折畳方法を示す斜視図である。図７は、収納容器１の折畳状態を示す斜視図である。尚、図６では、折畳方法を分かりやすくするため天面部材１７が省略されている。以上のように構成された収納容器１は、例えば、次のようにして使用される。最初に、収納容器１の展開状態、すなわち、第１収納部２と第２収納部３とが水平方向に隣接した状態で保持されて使用される方法が説明される。図１、３、５、６を参照し、収納容器１の使用方法を説明する。
【００５１】
まず、作業者は、第１仕切壁部６と第２仕切壁部９とをそれぞれ第１載置壁５と第２載置壁８とから立ち上がる起立姿勢に保持する。具体的には、作業者は、一対の第１雄型面ファスナ１３（図３参照）を一対の第１雌型面ファスナ１４（図４参照）に貼り合せるとともに、一対の第２雄型面ファスナ１５（図３参照）を一対の第２雌型面ファスナ１６（図４参照）に貼り合せることにより、図１に示すように、第１仕切壁部６を第１側壁７の一対の仕切壁隣接壁部７ａ、７ｂに連結するとともに、第２仕切壁部９を第２側壁１０の一対の仕切壁隣接壁部１０ａ、１０ｂに連結する。これにより、収納容器１は、第１仕切壁部６及び第２仕切壁部９が第１載置壁５及び第２載置壁８から立ち上がる起立姿勢に保持される。
【００５２】
次に、作業者は、収容容器１を第１収納部２と第２収納部３とが水平方向に並ぶ展開状態に保持する。具体的には、作業者は、展開用スライドファスナ１９のスライダー１９ｃをスライドさせて第１収納部側務歯１９ａと第２収納部側務歯１９ｂとを噛み合わせることにより、仕切壁隣接壁部７ａと仕切壁隣接壁部１０ａとを連結し、かつ、第１仕切壁部６と第２仕切壁部９とを連結し、かつ、仕切壁隣接壁部７ｂと仕切壁隣接壁部１０ｂとを連結し、かつ、第１載置壁５と第２載置壁８とを連結する。これにより、収納容器１は、図１に示すように、第１収納部２と第２収納部３とが水平方向に並ぶ展開状態に保持される。そして、この状態で、作業者は、セーター、トレーナ等の比較的小さな物品を第１収納部２及び第２収納部３に収納する。そして、作業者は、天面開閉用スライドファスナ１８のスライダー１８ｃをスライドさせて、天面部材１７を第１収納部２と第２収納部３の上方開口部に連結する。これにより、第１収納部２と第２収納部３の上方開口部が天面部材１７によって閉じられる。そして、作業者は、天面開閉用スライドファスナ１８のスライダー１８ｃをスライドさせて天面側務歯１８ａと収納部側務歯１８ｂとを噛み合わせることにより、第１収納部２及び第２収納部３の上方開口部を閉じる。最後に、作業者は、収納容器１を展開状態のまま把持部２５と把持部２６を持って運び、収納スペースに置く。
【００５３】
一方、作業者は、収納容器１の展開状態において、毛布や掛け布団等の比較的大きな物品を収納容器１に収納したい場合には、まず、一対の第１雄型面ファスナ１３を一対の第１雌型面ファスナ１４から剥がすとともに、一対の第２雄型面ファスナ１５を一対の第２雌型面ファスナ１６から剥がす。次に、作業者は、図４に示すように、第１仕切壁部６及び第２仕切壁部９を起立姿勢から第１載置壁５及び第２載置壁８に沿う倒伏姿勢に倒す。これにより、収納容器１は、第１収納部２と第２収納部３とを組み合わせた大きな空間を有する収納部を形成する。この状態で、作業者は、掛けふとんや敷きふとん等の大きな物品を収納容器１に収納する。そして、作業者は、天面開閉用スライドファスナ１８のスライダー１８ｃをスライドさせて、天面部材１７を第１収納部２と第２収納部３の上方開口部を閉じる。最後に、作業者は、収納容器１を展開状態のまま把持部２５と把持部２６を持って運び、収納スペースに置く。
【００５４】
次に、クローゼットや押し入れ等の収納スペースに余裕がない場合の収納容器の使用方法が説明される。まず、図１に示すように、第１仕切壁部６及び第２仕切壁部９が起立姿勢に保持された状態で、作業者は、天面開閉用スライドファスナ１８のスライダー１８ｃをスライドさせて天面側務歯１８ａと収納部側務歯１８ｂとを噛み合わせることにより、天面部材１７を第１収納部２及び第２収納部３の上方開口部を閉じる。
【００５５】
次に、作業者は、展開用スライドファスナ１９のスライダー１９ｃをスライドさせることにより、第１収納部側務歯１９ａと第２収納部側務歯１９ｂとの噛み合わせを解除する。これにより、仕切壁隣接壁部７ａと仕切壁隣接壁部１０ａとの連結と、第１仕切壁部６と第２仕切壁部９との連結と、第１載置壁５と第２載置壁８との連結と、仕切壁隣接壁部７ｂと仕切壁隣接壁部１０ｂとの連結と、が解除される。この状態で、作業者は、図６に示すように、第１収納部２を第１仕切壁部６及び第２仕切壁部９の上端縁１１を支点に回動させることにより、天面部材１７を中央で折り曲げて第２収納部３を第１収納部２の上に積み重ねる。
【００５６】
最後に、作業者は、図７に示すように、一対の把持部２５、２６同士を重ね合せた状態でシート片２１を一対の把持部２５、２６に巻き付け、折畳用面ファスナ２４の雄型面ファスナ２２を雌型面ファスナ２３（図５参照）に貼り合せることにより、一対の把持部２５、２６同士を連結する。これにより、収納容器１は、第１収納部２と第２収納部３とが上下に積層された折畳状態に保持され、クローゼットや押し入れ等の収納スペースにおける載置面積が半分になる。そして、作業者は、収納容器１を折畳状態で収納スペースに置く。
【００５７】
一方、作業者は、第１収納部２及び第２収納部３に収納された物品を取り出したい場合には、折畳用面ファスナ２４の雄型面ファスナ２２を雌型面ファスナ２３（図５参照）から剥がすことにより、一対の把持部２５、２６の連結を解除し、第１収納部２を回動させて収納容器１を展開状態にする。この状態で、作業者は、天面開閉用スライドファスナ１８のスライダー１８ｃをスライドさせて天面側務歯１８ａと収納部側務歯１８ｂ（図１、４参照）との噛み合わせを解除することにより、天面部材１７と第１収納部２及び第２収納部３の上方開口部との連結を解除する。その後、作業者は、天面部材１７を回動して第１収納部２及び第２収納部３を開き、第１収納部２及び第２収納部３から物品を取り出す。
【００５８】
上記収納容器１によれば、作業者は、収納容器１を第１収納部２と第２収納部３とが上下に積層された折畳状態に保持させることができるので、クローゼットや押し入れ等の収納スペースにおける載置面積を半分にすることができる。そのため、クローゼットや押し入れ等の収納スペースに余裕がなくても、他の収納物を動かしたり、再度収納し直したりすると言った収納スペースを確保する手間が軽減される。
【００５９】
上記収納容器１によれば、作業者は、第１仕切壁部６及び第２仕切壁部９を前記倒伏姿勢にした場合、第１仕切壁部６及び第２仕切壁部９の容積をフル活用して、掛けふとんや敷きふとん等の大きな物品を収納容器１に収納することができる。一方、作業者は、一対の第１面ファスナ２９及び一対の第２面ファスナ３０により、第１仕切壁部６及び第２仕切壁部９と第１側壁７及び第２側壁１０とを互いに連結し、第１仕切壁部６及び第２仕切壁部９を前記起立姿勢にした場合、セーター等の比較的小さな物品を第１収納部２及び第２収納部３に収納することができる。このように、作業者は、収納物の大きさに応じて第１仕切壁部６及び第２仕切壁部９を適宜変更することにより、大小様々な物品を収納容器１に収納することができるので、上記収納容器１は利便性が高い。
【００６０】
上記収納容器１によれば、作業者は、第１雄型面ファスナ１３を第１雌型面ファスナ１４に貼り合せるとともに、第２雄型面ファスナ１５を第２雌型面ファスナ１６に貼り合せることにより、第１仕切壁部６及び第２仕切壁部９を第１載置壁５及び第２載置壁８から立ち上がる起立姿勢に容易に固定することができる。一方、作業者は、第１仕切壁部６及び第２仕切壁部９を起立姿勢から第１載置壁５及び第２載置壁８に沿う倒伏姿勢に倒すときは、第１雄型面ファスナ１３を第１雌型面ファスナ１４から剥がすとともに、第２雄型面ファスナ１５を第２雌型面ファスナ１６から剥がすことにより容易に対応することができる。
【００６１】
上記収納容器１は、第１収納部２と第２収納部３とが上下に積層された折畳状態に保持されるときに、互いに重ね合わされた一対の把持部２５、２６にシート片２１が巻き付けられるので、一対の把持部２５、２６同士の連結が強固である。そのため、収納容器１は、折畳状態に確実に保持される。
【００６２】
なお、以上に説明した収納容器１は、本発明の収納容器１の一実施形態であり、その具体的構成については、本発明の趣旨を逸脱しない範囲で適宜変更可能である。以下、変形例について説明する。
【００６３】
上記実施形態では、第１仕切壁部６及び第２仕切壁部９は、それぞれ、第１側壁７及び第２側壁１０に着脱可能とされたが、第１側壁７及び第２側壁１０に固定されてもよい。但し、第１仕切壁部６と第２仕切壁部９とが起伏可能に構成されていれば、第１収納部２と第２収納部３とを組み合わせた大きな空間を有する収納部を形成することができるので、セーター、トレーナ等の比較的小さな物品だけでなく、毛布や掛け布団などの比較的大きな物品も収納することができるようになり、利便性が向上する。
【００６４】
上記実施形態では、第１仕切壁部６が第１側壁７に、第２仕切壁部９が第２側壁１０に着脱可能に連結されたが、第１仕切壁部６と第２仕切壁部９のうちのいずれか一方が、第１側壁７と第２側壁１０のうちのいずれか一方に着脱可能に連結されてもよい。
【００６５】
上記実施形態では、第１仕切壁部６又は第２仕切壁部９と第１側壁７又は第２側壁１０とを互いに着脱可能に連結する仕切壁連結具として、一対の第１面ファスナ２９と一対の第２面ファスナ３０とが用いられたが、仕切壁連結具はこれに限定されない。仕切壁連結具は、第１仕切壁部６又は第２仕切壁部９と第１側壁７又は第２側壁１０に着脱可能に連結できるものであればよく、例えば、スナップ、バックル及び磁石などを用いて断続的に連結するものでもよく、スライドファスナを用いて連続して連結するようにしてもよい。尚、スナップ、バックル、磁石及びスライドファスナは併用されてもよい。しかしながら、面ファスナやスライドファスナなどを用いて連続して連結する場合は、第１収納部２と第２収納部３とが上下に積層された折畳状態においても、第１仕切壁部６と第１側壁７とが隙間なく連結されているとともに、第２仕切壁部９と第２側壁１０とが隙間なく連結されているので、比較的小さな収納物が上記隙間を通じて落下するおそれがなくなり、収納にあたっての利便性が向上する。
【００６６】
仕切壁連結具として、スライドファスナを用いる場合は、例えば、第１フラップ６ｂ及び第２フラップ９ｂの上下方向に延びる一辺にフラップ側務歯を取り付け、第１側壁７及び第２側壁１０にフラップ側務歯に噛み合う側壁側務歯を取り付け、フラップ側務歯と側壁側務歯とを係脱させるスライダーをスライドさせることにより、フラップ側務歯と側壁側務歯と噛み合わせたり離したりする。
【００６７】
仕切壁連結具として、スナップ、バックル及び磁石などの連結具が用いられる場合は、例えば、一対の第１フラップ６ｂ及び一対の第２フラップ９ｂと、第１側壁７及び第２側壁１０と、にスナップ、バックル及び磁石などの連結具が取り付けられる。
【００６８】
上記実施形態では、展開用スライドファスナ１９の第１収納部側務歯１９ａの一部が第１仕切壁部６の下端縁６ｃに設けられ、展開用スライドファスナ１９の第２収納部側務歯１９ｂの一部が第２仕切壁部９の下端縁９ｃに設けられることにより、第１仕切壁部６と第２仕切壁部９とが連結されるとともに、第１載置壁５と第２載置壁８とが連結されるようにしたが、第１収納部側務歯１９ａの一部が第１載置壁５の周縁部の第２載置壁８に隣接する部位に設けられ、第２収納部側務歯１９ｂの一部が第２載置壁８の周縁部の第１載置壁５に隣接する部位に設けられることにより、第１仕切壁部６と第２仕切壁部９とが連結されるとともに、第１載置壁５と第２載置壁８とが連結されるようにしてもよい。
【００６９】
上記実施形態では、収納容器１を展開状態に保持する保持具として展開用スライドファスナ１９が用いられたが、保持具はこれに限定されない。保持具は、収納容器１を第１収納部２と第２収納部３とが水平方向に並ぶ展開状態に保持できるものであればよく、例えば、面ファスナ、スナップ、バックル、磁石などでもよい。しかしながら、スライドファスナを用いる場合は、第１仕切壁部６と第２仕切壁部９とを倒伏させた状態においても、第１側壁７と第２側壁１０、並びに、第１載置壁５と第２載置壁８とが隙間なく連結されているので、比較的小さな収納物が上記隙間を通じて落下するおそれがなくなり、収納にあたっての利便性が向上する。
【００７０】
保持具として、面ファスナ、スナップ、磁石などの保持具が用いられる場合は、第１収納部２と第２収納部３とが水平方向に隣接する部位、例えば、第１仕切壁部６と第２仕切壁部９とが向かい合う面に面ファスナ、スナップ、磁石などの保持具が設けられる。この場合、面ファスナ、スナップ、磁石などの保持具は、１つでもよく、複数あってもよい。
【００７１】
保持具として、バックルが用いられる場合は、例えば、一対の仕切壁隣接壁部７ａ、７ｂの第１仕切壁部６側と、第１載置壁５の第１仕切壁部６側と、にベルトを取り付け、各ベルトを留めるバックルを一対の仕切壁隣接壁部１０ａ、１０ｂの第２仕切壁部９側と、第２載置壁８の第２仕切壁部９側と、に取り付ける。
【００７２】
上記実施形態では、一対の把持部２５、２６を互いに着脱可能に連結する把持連結具として折畳用面ファスナ２４が用いられたが、把持連結具はこれに限定されない。把持連結具は、収納容器１を第１収納部２と第２収納部３とが上下に積層された折畳状態に保持できるものであればよく、例えば、スナップ、バックル、磁石などでもよい。この場合、スナップ、バックル、磁石などの連結具は、例えば、シート片２１に取り付けられる。
【００７３】
上記実施形態では、収納容器１は、一対の把持部２５、２６同士が連結されることにより、第１収納部２と第２収納部３とが上下に積層された折畳状態に保持されたが、第１側壁７と第２側壁１０とが連結されることにより、折畳状態に保持されるようにしてもよい。この場合、第１収納部２と第２収納部３とが上下に積層された折畳状態に保持する保持具としては、例えば、面ファスナ、バックル、スナップ、磁石、スライドファスナなどを用いることができる。しかしながら、一対の把持部２５、２６同士を連結する場合は、既に設けてある一対の把持部２５、２６が利用されるため、一対の把持部２５、２６同士をシート片２１により強固に連結しつつ、部品点数を少なく済ますことができる。そのため、製造コストが低減される点で好ましい。
【００７４】
第１側壁７と第２側壁１０とが連結されることにより、収納容器１が折畳状態に保持される場合、面ファスナ、バックル、スナップ、磁石、スライドファスナなどの保持具は、例えば、第１側壁７の連結壁部７ｃと第２側壁１０の連結壁部１０ｃに取り付けられる。尚、面ファスナ、バックル、スナップ、磁石、スライドファスナなどの保持具は、天面部材１７に設けられてもよい。
【００７５】
上記実施形態では、折畳用面ファスナ２４はシート片２１を有するが、シート片２１は省略されてもよい。この場合、例えば、雄型面ファスナ２２は把持部２５に取り付け、雌型面ファスナ２３は把持部２６に取り付けるようにしてもよい。このようにすると、雄型面ファスナ２２と雌型面ファスナ２３とを貼り合せるだけで一対の把持部２５、２６同士を連結することができるので、収納容器１を折畳状態に保持する作業が容易になり好ましい。尚、雄型面ファスナ２２と雌型面ファスナ２３に代えて、スナップ、バックル、磁石などの連結具が一対の把持部２５、２６に取り付けられてもよい。
【００７６】
上記実施形態では、第１収納部２及び第２収納部３は、１枚の天面部材１７によって一括して閉じられたが、第１収納部２と第２収納部３とを別々の天面部材によって閉じられるようにしてもよい。この場合、第１収納部２を閉じる天面部材と第２収納部３を閉じる天面部材のそれぞれにスライドファスナが設けられる。例えば、第１収納部２を閉じる天面部材の縫着部位となる１辺を除く３辺に全体に亘って務歯を取り付け、この務歯に噛み合う務歯を第１側壁７の上端縁と第１仕切壁部６の上端縁１１に全体に亘って取り付ける。さらに、第２収納部３を閉じる天面部材の縫着部位となる１辺を除く３辺に全体に亘って務歯を取り付け、この務歯に噛み合う務歯を第２側壁１０の上端縁と第２仕切壁部９の上端縁１１に取り付ける。
【符号の説明】
【００７７】
１        収納容器
２        第１収納部
３        第２収納部
５        第１載置壁
６        第１仕切壁部
６ｃ      下端
７        第１側壁
８        第２載置壁
９        第２仕切壁部
９ｃ      下端
１０      第２側壁
１１      上端縁
１７      天面部材
１９      展開用スライドファスナ
２４      折畳用面ファスナ
２５      把持部
２６      把持部
２９      一対の第１面ファスナ
３０      一対の第２面ファスナ
【図１】
2018127269.tif 000003
【図２】
2018127269.tif 000004
【図３】
2018127269.tif 000005
【図４】
2018127269.tif 000006
【図５】
2018127269.tif 000007
【図６】
2018127269.tif 000008
【図７】
2018127269.tif 000009